(57)【要約】【課題】動物飼育ラック等の載置棚の頻繁な加熱殺菌、或いは載置棚の頻繁な移動を支障なく行うことができるようにした載置棚用固定具を提供する。【解決手段】載置棚を挟持する挟持手段３１には第一雄ねじ棒３５を下方に突設し、粘着マット４１を下面に備えた平板４３上に着脱自在に固定される支持手段３７には第二雄ねじ棒４５を上方に突設し、第一雄ねじ棒と第二雄ねじ棒とには相互に反対方向の雄ねじを備えさせ、筒状体４７の各端には第一雄ねじ棒の雄ねじと第二雄ねじ棒の雄ねじとに対応する雌ねじを備えさせ、筒状体の各端には第一雄ねじ棒と第二雄ねじ棒とを螺合させ、以て筒状体を回転させることにより挟持手段と支持手段とが相互に接離する方向に動くようになし、平板と粘着マットとを床面上に残した状態で載置棚を移動させることができるようになす。【選択図】図１
2015000201.tif 000002
【特許請求の範囲】
【請求項１】
載置棚の一部を挟持する挟持手段には第一雄ねじ棒を下方に突設し、床面に対する粘着手段としての粘着マットを下面に備えた平板上に着脱自在に固定される支持手段には第二雄ねじ棒を該第一雄ねじ棒に対向させて上方に突設し、該第一雄ねじ棒と該第二雄ねじ棒とにはそれぞれリード角が相互に反対方向の雄ねじを備えさせ、                      
一方、筒状体の各端には該第一雄ねじ棒の雄ねじと該第二雄ねじ棒の雄ねじとに対応する雌ねじをそれぞれ備えさせ、該筒状体の各端には該第一雄ねじ棒と該第二雄ねじ棒とを螺合させ、以て該筒状体を回転させることにより前記挟持手段と前記支持手段とが相互に接離する方向に動くようにし、該挟持手段に載置棚の一部を挟持させた状態で該筒状体を回転させて前記平板下面の粘着マットを床面に圧着させることにより載置棚を床面に固定し得るようになし、
前記挟持手段に載置棚の一部を挟持させた状態で前記平板に対する該支持手段の固定を解除すると共に該筒状体を回転させることにより該支持手段を上方に動かしたときには、該平板と前記粘着マットとを床面上に残した状態で該載置棚を移動させることができるようにしたことを特徴とする載置棚用固定具。
【請求項２】
前記支持手段を前記平板上に着脱自在に固定するために、該平板には雌ねじ孔を形成し、該支持手段には該雌ねじ孔に対応する透孔を形成し、支持手段用雄ねじ体を該支持手段の透孔を通して該平板の雌ねじ孔に螺合させるようにしたことを特徴とする請求項１に記載の載置棚用固定具。
【請求項３】
前記支持手段用雄ねじ体は蝶ねじであることを特徴とする請求項２に記載の載置棚用固定具。
【請求項４】
前記挟持手段は、断面略コ字状体における底板部に雌ねじ孔を形成し、該雌ねじ孔に下方より挟持手段用雄ねじ体を螺合させ、該断面略コ字状体の天板部と該挟持手段用雄ねじ体の上端との間に載置棚の一部を位置させた状態で該挟持手段用雄ねじ体を締め付けることにより載置棚の一部を挟持させるようにしてなることを特徴とする請求項１〜３のいずれかに記載の載置棚用固定具。
【請求項５】
前記挟持手段用雄ねじ体は蝶ねじであることを特徴とする請求項４に記載の載置棚用固定具。
【請求項６】
前記筒状体は多角筒形状をなすことを特徴とする請求項１〜５のいずれかに記載の載置棚用固定具。
【発明の詳細な説明】
【技術分野】
【０００１】
本発明は、載置棚用固定具に関するものであり、特に、載置棚が地震発生時に転倒ないし暴走することを防止するために該載置棚を床面に固定すると共に、動物飼育ラック等の載置棚の頻繁な加熱殺菌、或いは載置棚の頻繁な移動を支障なく行うことができるようにした載置棚用固定具に係るものである。
【背景技術】
【０００２】
動物飼育ラック等の載置棚が地震発生時に転倒ないし暴走することを防止するために、一般に、該載置棚をネジ等の固着具により壁面に固定するという手法が用いられている。しかるに、該載置棚を壁面から離して設置する場合、或いは、該載置棚を頻繁に移動させる必要がある場合には、この手法は適していない。また、壁面には固着具が有効に作用しない部分があり、このような部分に固着具を取り付けても、地震発生時に該固着具が該部分から容易に脱出し、該載置棚が転倒ないし暴走することになる。
【０００３】
このような状況に鑑み、特許第４４８４６２０号は、キャスター付き機器の固定具（以下、「従来の固定具」という。）を提供している。
【０００４】
従来の固定具は、図５に示すように、一対の平板１１ａ、１１ｂにおける相対向する一面にはそれぞれリード角が相互に反対方向の雄ねじ棒１５ａ、１５ｂを突設すると共に他面にはそれぞれキャスター付き機器の底面と床面とに対する粘着手段として粘着性を備えた板状体１９ａ、１９ｂを備えさせ、一方、筒状体２１の各端には各雄ねじ棒１５ａ、１５ｂの雄ねじ１６ａ、１６ｂに対応する雌ねじ２３ａ、２３ｂを備えさせ、各雄ねじ棒１５ａ、１５ｂを該筒状体２１の各端に螺合させ、以て該筒状体２１を回転させることにより各平板１１ａ、１１ｂが相互に接離する方向に動くようになし、
固定具をキャスター付き機器下方の床面上における適宜の位置に置いた状態で筒状体２１を回転させることにより、前記一対の平板１１ａ、１１ｂがそれぞれキャスター付き機器の底面と床面とに前記粘着性を備えた板状体１９ａ、１９ｂにより固定され、キャスター付き機器の荷重がキャスターにかからないようにした状態でキャスター付き機器が床に固定され、以て地震発生時にキャスター付き機器が床上を暴走し、或いは暴走した後転倒することを防止し、
更に、固定具を取り付けた後、キャスター付き機器を再びキャスターにより走行させる必要が生じた場合には、前記筒状体２１を所定の方向に回転させることにより前記各平板１１ａ、１１ｂを相互に接近する方向に動かして、固定具を取り外すことができるようにしたことを特徴とするキャスター付き機器の固定具である。
【先行技術文献】
【特許文献】
【０００５】
【特許文献１】特許第４４８４６２０号公報
【発明の概要】
【発明が解決しようとする課題】
【０００６】
上記従来の固定具は、一般的なキャスター付き機器の固定具としては優れたものであるが、頻繁に加熱殺菌する必要のある動物飼育ラック等の載置棚、或いは頻繁に移動させる必要のある載置棚については、下記の理由により、使用し難いものである。
【０００７】
すなわち、動物飼育ラックについては、オートクレーブを用いて、高温高圧の飽和水蒸気による滅菌処理が例えば１週間に１回程度の頻度で行われるのであるが、この滅菌処理において前記粘着性を備えた板状体１９ａ、１９ｂは約１２０℃の高温にさらされる。しかして、該板状体１９ａ、１９ｂはこのような高温には耐えられないのである。したがって、上記従来の固定具により動物飼育ラックを床面に固定している場合には、１週間に１回程度の頻度で行われる滅菌処理の都度、従来の固定具を該動物飼育ラックと床面とから取り外して該板状体１９ａ、１９ｂが高熱にさらされないようにし、又は、従来の固定具における上側の板状体１９ａを該動物飼育ラックから取り外した後、該動物飼育ラックを別の場所に移動させた状態で滅菌処理を行わなければならないのである。
【０００８】
しかるに、該板状体１９ａ、１９ｂは、動物飼育ラックと床面とに強力に粘着しているため、じっくり時間をかけて動物飼育ラックと床面とから剥がさなければ、該板状体１９ａ、１９ｂ又は動物飼育ラックないし床面が損傷するおそれがある。特に、上側の板状体１９ａを該動物飼育ラックから取り外す際には、取り外し用の道具を当該箇所に挿入し難いために上側の板状体１９ａの取り外し作業が困難になる場合が多い。
【０００９】
このように、板状体１９ａ、１９ｂの取り外し作業が困難であるという問題は、頻繁に加熱殺菌する必要のある動物飼育ラック等の載置棚の他、頻繁に移動させる必要のある載置棚等についても同様に存在するのである。
【００１０】
本発明は、上記従来の固定具における上述の如き問題を解決し、載置棚を床面に確実に固定することができ、かつ、動物飼育ラック等の載置棚の頻繁な加熱殺菌、或いは載置棚の頻繁な移動を支障なく行うことができるようにした載置棚用固定具を提供しようとしてなされたものである。
【課題を解決するための手段】
【００１１】
上記課題を解決するために、本発明は下記の載置棚用固定具を提供するものである。
【００１２】
（１）載置棚の一部を挟持する挟持手段には第一雄ねじ棒を下方に突設し、床面に対する粘着手段としての粘着マットを下面に備えた平板上に着脱自在に固定される支持手段には第二雄ねじ棒を該第一雄ねじ棒に対向させて上方に突設し、該第一雄ねじ棒と該第二雄ねじ棒とにはそれぞれリード角が相互に反対方向の雄ねじを備えさせ、                      
一方、筒状体の各端には該第一雄ねじ棒の雄ねじと該第二雄ねじ棒の雄ねじとに対応する雌ねじをそれぞれ備えさせ、該筒状体の各端には該第一雄ねじ棒と該第二雄ねじ棒とを螺合させ、以て該筒状体を回転させることにより前記挟持手段と前記支持手段とが相互に接離する方向に動くようにし、該挟持手段に載置棚の一部を挟持させた状態で該筒状体を回転させて前記平板下面の粘着マットを床面に圧着させることにより載置棚を床面に固定し得るようになし、
前記挟持手段に載置棚の一部を挟持させた状態で前記平板に対する該支持手段の固定を解除すると共に該筒状体を回転させることにより該支持手段を上方に動かしたときには、該平板と前記粘着マットとを床面上に残した状態で該載置棚を移動させることができるようにしたことを特徴とする載置棚用固定具（請求項１）。
【００１３】
（２）前記支持手段を前記平板上に着脱自在に固定するために、該平板には雌ねじ孔を形成し、該支持手段には該雌ねじ孔に対応する透孔を形成し、支持手段用雄ねじ体を該支持手段の透孔を通して該平板の雌ねじ孔に螺合させる（請求項２）。
【００１４】
（３）前記支持手段用雄ねじ体は蝶ねじである（請求項３）。
【００１５】
（４）前記挟持手段は、断面略コ字状体における底板部に雌ねじ孔を形成し、該雌ねじ孔に下方より挟持手段用雄ねじ体を螺合させ、該断面略コ字状体の天板部と該挟持手段用雄ねじ体の上端との間に載置棚の一部を位置させた状態で該挟持手段用雄ねじ体を締め付けることにより載置棚の一部を挟持させるようにしてなる（請求項４）。
【００１６】
（５）前記挟持手段用雄ねじ体は蝶ねじである（請求項５）。
【００１７】
（６）前記筒状体は多角筒形状をなす（請求項６）。
【発明の効果】
【００１８】
[請求項１の発明]
挟持手段により載置棚の一部を挟持させると共に上面に支持手段を固定した平板の粘着マットを床面に臨ませた状態で、該挟持手段と該支持手段とが相互に離れる方向に筒状体を回転させることにより、該粘着マットを床面に圧着させることができる。しかるときは、載置棚は床面に固定されるため、地震発生時に転倒するおそれがない。また、載置棚がキャスターを備えているときでも、上述の如く筒状体を回転させることにより該キャスターに載置棚の荷重がかからないようにすれば、該載置棚は床面に確実に固定されるため、該載置棚は暴走するおそれがない。
【００１９】
挟持手段に載置棚の一部を挟持させた状態で平板に対する支持手段の固定を解除すると共に筒状体を回転させることにより該支持手段を上方に動かしたときには、該平板と粘着マットのみを床面上に残した状態で載置棚用固定具を取り付けたまま載置棚を移動させることができる。図４参照。すなわち、載置棚を移動させる際に、粘着マットを床面ないし載置棚から剥がす作業が不要であるため、粘着マット、床面、載置棚等を損傷するおそれがないだけでなく、載置棚の移動のための準備に要する時間が著しく節約される。したがって、載置棚を頻繁に移動させる必要がある場合に、極めて好都合である。
【００２０】
粘着マットは高温に弱いのであるが、載置棚用固定具は床面に圧着させる粘着マット以外の粘着マットを全く備えておらず、載置棚の一部を挟持する挟持手段においても粘着マットを備えていない。したがって、高温に弱い粘着マットを平板と共に床面上に残した状態で、換言すれば粘着マットを有しない載置棚用固定具を取り付けたまま、載置棚を移動させることができるため、動物飼育ラック等の載置棚を容易に別の場所に移して支障なく加熱殺菌を行うことができる。なお、加熱殺菌を終了した後、動物飼育ラック等の載置棚を元の位置に戻し、該載置棚に取り付けた状態になっている載置棚用固定具における支持手段を元の位置の床面上に残っている粘着マットを備えた平板に再び取り付けることができる。すなわち、載置棚の加熱殺菌を終了した後、載置棚用固定具を再使用することができるのである。
【００２１】
[請求項２の発明]
支持手段を平板上に固定する際には、支持手段用雄ねじ体を該支持手段の透孔を通して該平板の雌ねじ孔に螺合させて締め付ければよい。支持手段を平板から取り外す際には、該支持手段用雄ねじ体を平板の雌ねじ孔から取り外せばよい。すなわち、支持手段を平板上に着脱する作業は極めて容易である。
【００２２】
[請求項３の発明]
支持手段用雄ねじ体は、蝶ねじであるため、手指で容易に回転させることができる。
【００２３】
[請求項４の発明]
挟持手段に載置棚の一部を挟持させる際には、断面略コ字状体の天板部と挟持手段用雄ねじ体の上端との間に載置棚の一部を位置させた状態で該挟持手段用雄ねじ体を締め付ければよい。挟持手段に載置棚の一部の挟持を解除させる際には、該挟持手段用雄ねじ体を緩めればよい。すなわち、挟持手段による載置棚の一部の挟持とその解除は、極めて容易に行うことができる。
【００２４】
[請求項５の発明]
挟持手段用雄ねじ体は、蝶ねじであるため、手指で容易に回転させることができる。
【００２５】
[請求項６の発明]
筒状体は、多角筒形状をなしているため、手指で容易に回転させることができる。
【図面の簡単な説明】
【００２６】
【図１】図１は、本発明による載置棚用固定具の一例を示す斜視図である。
【図２】図２は、同上載置棚用固定具における挟持手段を示す一部断面側面図である。
【図３】図３は、同上載置棚用固定具の使用状態を示す断面図である。
【図４】図４は、同上載置棚用固定具において、支持手段を平板から取り外した状態を示す断面図である。
【図５】図５は、従来の固定具を示す断面図である。
【発明を実施するための形態】
【００２７】
符号３１に示すものは載置棚の一部３３を挟持する挟持手段である。載置棚の一部３３は一例として棚板である。挟持手段３１には第一雄ねじ棒３５を下方に突設する。載置棚は、一例として、マウス、ウサギ等の実験用動物を収容する動物飼育用ラックである。図３において符号３６に示すものは実験用動物の収納ケースである。
【００２８】
符号３７に示すものは床面３９に対する粘着手段としての粘着マット４１を下面に備えた平板４３上に着脱自在に固定される支持手段である。支持手段３７は、一例として板状体とする。支持手段３７には第二雄ねじ棒４５を該第一雄ねじ棒３５に対向させて上方に突設し、該第一雄ねじ棒３５と該第二雄ねじ棒４５とにはそれぞれリード角が相互に反対方向の雄ねじ３５ａ、４５ａを備えさせる。すなわち、第一雄ねじ棒３５の雄ねじ３５ａと第二雄ねじ棒４５の雄ねじ４５ａとは、相互に逆方向の雄ねじとする。換言すれば、当該雄ねじ３５ａ、４５ａのうち、一方を右雄ねじとし、他方を左雄ねじとする。
【００２９】
粘着マット４１は、例えば、粘着性を備えたゲル状の超軟質ウレタンにより形成された板状体とする。
【００３０】
符号４７に示すものは筒状体である。筒状体４７は、好ましくは、六角筒等の多角筒形状をなす。
【００３１】
筒状体４７の各端には第一雄ねじ棒３５の雄ねじ３５ａと第二雄ねじ棒４５の雄ねじ４５ａとに対応する雌ねじ３５ｂ、４５ｂをそれぞれ備えさせ、該筒状体４７の各端には該第一雄ねじ棒３５と該第二雄ねじ棒４５とを螺合させ、以て該筒状体４７を回転させることにより前記挟持手段３１と前記支持手段３７とが相互に接離する方向に動くようにし、該挟持手段３１に載置棚の一部３３を挟持させた状態で該筒状体４７を回転させて前記平板４３下面の粘着マット４１を床面３９に圧着させることにより載置棚を床面３９に固定し得るようになす。なお、筒状体４７の各端に雌ねじ３５ｂ、４５ｂをそれぞれ備えさせることには、該筒状体４７の内面に雌ねじ３５ｂ、４５ｂを直接形成することのみならず、該筒状体４７の各端に雌ねじ３５ｂ、４５ｂを備えたナット（図示せず。）を固着することも含まれるものとする。
【００３２】
前記挟持手段３１に載置棚の一部３３を挟持させた状態で前記平板４３に対する支持手段３７の固定を解除すると共に筒状体４７を回転させることにより該支持手段３７を上方に動かしたときには、該平板４３と前記粘着マット４１とを床面３９上に残した状態で該載置棚を移動させることができるようになす。図４参照。
【００３３】
支持手段３７を平板４３上に着脱自在に固定するために、該平板４３には雌ねじ孔４９を形成し、該支持手段３７には該雌ねじ孔４９に対応する透孔５１を形成し、支持手段用雄ねじ体５３を該支持手段３７の透孔５１を通して該平板４３の雌ねじ孔４９に螺合させる。図示の事例においては、雌ねじ孔４９と透孔５１とをそれぞれ２個ずつ形成し、支持手段用雄ねじ体５３を２本使用している。
【００３４】
前記支持手段用雄ねじ体５３は、好ましくは、蝶ねじとする。
【００３５】
前記挟持手段３１は、一例として、断面略コ字状体５５における底板部５７に雌ねじ孔５９を形成し、該雌ねじ孔５９に下方より挟持手段用雄ねじ体６１を螺合させ、該断面略コ字状体５５の天板部６３と該挟持手段用雄ねじ体６１の上端６１ａとの間に載置棚の一部３３を位置させた状態で該挟持手段用雄ねじ体６１を締めつけるようにしてなる。図示の事例においては、雌ねじ孔５９を２個形成し、挟持手段用雄ねじ体６１を２本使用している。
【００３６】
図示の事例においては、前記断面略コ字状体５５は、天板部６３の一縁を下方に折曲して垂直部６５を形成し、底板部５７の対応縁を上方に折曲して垂直部６７を形成し、天板部６３の垂直部６５と底板部５７の垂直部６７とを重ね合わせてボルト等の固着具６９により相互に固着してなるものである。
【００３７】
前記挟持手段用雄ねじ体６１は、好ましくは、蝶ねじとする。
【００３８】
前記第一雄ねじ棒３５を挟持手段３１から下方に突設するに当っては、一例として図２に示すように、第一雄ねじ棒３５を挟持手段３１の底板部５７に形成した雌ねじ孔７１に螺合させる。符号７３に示すものは該第一雄ねじ棒３５の頭部である。
【００３９】
前記第二雄ねじ棒４５を支持手段３７から上方に突設するに当っては、一例として図３、図４に示すように、第二雄ねじ棒４５を支持手段３７に形成した雌ねじ孔７５に螺合させ、該第二雄ねじ棒４５の頭部７７を平板４３に形成した受け孔７９に嵌着させる。
【符号の説明】
【００４０】
１１ａ  平板
１１ｂ  平板
１５ａ  雄ねじ棒
１５ｂ  雄ねじ棒
１６ａ  雄ねじ
１６ｂ  雄ねじ
１９ａ  粘着性を備えた板状体
１９ｂ  粘着性を備えた板状体
２１  筒状体
２３ａ  雌ねじ
２３ｂ  雌ねじ
３１  挟持手段
３３  載置棚の一部
３５  第一雄ねじ棒
３５ａ  雄ねじ
３５ｂ  雌ねじ
３６  実験用動物の収納ケース
３７  支持手段
３９  床面
４１  粘着マット
４３  平板
４５  第二雄ねじ棒
４５ａ  雄ねじ
４５ｂ  雌ねじ
４７  筒状体
４９  雌ねじ孔
５１  透孔
５３  支持手段用雄ねじ体
５５  断面略コ字状体
５７  底板部
５９  雌ねじ孔
６１  挟持手段用雄ねじ体
６１ａ  上端
６３  天板部
６５  垂直部
６７  垂直部
６９  固着具
７１  雌ねじ孔
７３  頭部
７５  雌ねじ孔
７７  頭部
７９  受け孔
【図１】
2015000201.tif 000003
【図２】
2015000201.tif 000004
【図３】
2015000201.tif 000005
【図４】
2015000201.tif 000006
【図５】
2015000201.tif 000007